【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  電気信号を音響信号に変換して前面側に放射するスピーカ装置において、
磁気回路を備え、電気信号をボイスコイルの軸線方向に沿う振動に変換する動電形であって、該電気信号を機械振動に変換する変換器、変換器の前面側に音波を放射する振動板、および振動板を背面側から振動可能に支持して変換器に固定されるフレームを備えるスピーカユニットと、
スピーカユニットの変換器の背面側に固定され、該スピーカユニットの質量よりも大きな質量を有する重りとを含み、
前記重りは、ボイスコイルの軸線の延長上で、該軸線に垂直な断面形状が該磁気回路の断面形状よりも小さく、中心部分に該軸線に沿って前面側に突出するボスが形成され、該ボスの先端が該変換器の磁気回路の背面側に固定されることを特徴とするスピーカ装置。
【請求項２】  前記磁気回路は外磁形であり、前記ボイスコイルを駆動する磁束を発生させる環状のメイン永久磁石の背面側に、漏洩磁束低減のための環状のキャンセル永久磁石を備え、
前記重りのボスは、キャンセル永久磁石の中空部を貫通して、該磁気回路のセンターポールの背面側に固定されることを特徴とする請求項１記載のスピーカ装置。
【請求項３】  電気信号を音響信号に変換して前面側に放射するスピーカ装置において、
電気信号を機械振動に変換する変換器、変換器の前面側に音波を放射する振動板、および振動板を背面側から振動可能に支持して変換器に固定されるフレームを備えるスピーカユニットと、
スピーカユニットの変換器の背面側に固定され、該スピーカユニットの変換器よりも小形かつ軽量であり、電気信号を機械振動に変換する補償用変換器と、
スピーカユニットの振動系よりも小さい質量を有し、補償用変換器の機械振動の負荷となる補償用振動体とを含むことを特徴とするスピーカ装置。
【手続補正２】
【補正対象書類名】明細書
【補正対象項目名】０００９
【補正方法】変更
【補正の内容】
【０００９】
【課題を解決するための手段】
本発明に係るスピーカ装置は、電気信号を音響信号に変換して前面側に放射するスピーカ装置において、
磁気回路を備え、電気信号をボイスコイルの軸線方向に沿う振動に変換する動電形であって、該電気信号を機械振動に変換する変換器、変換器の前面側に音波を放射する振動板、および振動板を背面側から振動可能に支持して変換器に固定されるフレームを備えるスピーカユニットと、
スピーカユニットの変換器の背面側に固定され、該スピーカユニットの質量よりも大きな質量を有する重りとを含み、
前記重りは、ボイスコイルの軸線の延長上で、該軸線に垂直な断面形状が該磁気回路の断面形状よりも小さく、中心部分に該軸線に沿って前面側に突出するボスが形成され、該ボスの先端が該変換器の磁気回路の背面側に固定されることを特徴とするスピーカ装置である。
【手続補正３】
【補正対象書類名】明細書
【補正対象項目名】００１０
【補正方法】変更
【補正の内容】
【００１０】
上記の構成によれば、電気信号を音響信号に変換して前面側に放射するスピーカ装置は、スピーカユニットと重りとを含む。スピーカユニットは、電気信号を機械振動に変換する変換器、変換器の前面側に音波を放射する振動板、および振動板を背面側から振動可能に支持して変換器に固定されるフレームを備える。変換器によって、電気信号から変換された機械振動は振動板から周囲の空気に音波に放射させる。周囲の空気から振動板に加わる反力は、変換器に戻り、変換器を振動させる。変換器の背面側には、スピーカユニットの質量よりも大きな質量を有する重りが固定されているので、重りが仮想的な接地として働く結果、振動は抑制される。変換器での振動が抑制されるので、フレームの前面側をエンクロージャに固定していても、フレームを介してエンクロージャに伝わる振動を小さくすることができ、エンクロージャからの不要な音の放射を抑えて、過度特性が良好な音質を得ることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
重りは、ボイスコイルの軸線の延長上で、該軸線の延長上で、該軸線に垂直な断面形状が該磁気回路の断面形状よりも小さく、中心部分に該軸線に沿って前面側に突出するボスが形成されている。該ボスの先端で磁気回路に固定されているので、磁気回路と重りとの接合面積を小さくすることができる。接合面積が大きくなると、接合面全体で磁気回路の背面側と重りとを均一に接合することが困難となり、わずかな隙間が振動によって接離して異音が発生するおそれがある。また、重りに鉄などの強磁性材料を使用すると、磁束が逃げるおそれもある。重りから突出させるボスの先端でのみ磁気回路の背面側との接合を行うので、接合部分の均一性を容易に確保することができる。また、軸線付近でのみ接合を行うので、重りに強磁性体を使用しても、磁気回路が発生する磁束への影響を最小限にとどめることができる。
【手続補正６】
【補正対象書類名】明細書
【補正対象項目名】００１３
【補正方法】変更
【補正の内容】
【００１３】
また本発明に係るスピーカ装置は、前記磁気回路は外磁形であり、前記ボイスコイルを駆動する磁束を発生させる環状のメイン永久磁石の背面側に、漏洩磁束低減のための環状のキャンセル永久磁石を備え、
前記重りのボスは、キャンセル永久磁石の中空部を貫通して、該磁気回路のセンターポールの背面側に固定することを特徴とするものである。
【手続補正７】
【補正対象書類名】明細書
【補正対象項目名】００１４
【補正方法】変更
【補正の内容】
【００１４】
上記の構成によれば、磁気回路の背面側に、漏洩磁束低減のためのキャンセル永久磁石を備えていても、重りのボスは、環状のキャンセル永久磁石の中空部を貫通してメイン永久磁石の背面側に近づけて接合することができるので、ボイスコイルから反力を受ける磁気回路に直接重量を付加して、振動を抑えることができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また本発明に係るスピーカ装置は、電気信号を音響信号に変換して前面側に放射するスピーカ装置において、
電気信号を機械振動に変換する変換器、変換器の前面側に音波を放射する振動板、および振動板を背面側から振動可能に支持して変換器に固定されるフレームを備えるスピーカユニットと、
スピーカユニットの変換器の背面側に固定され、該スピーカユニットの変換器よりも小形かつ軽量であり、電気信号を機械振動に変換する補償用変換器と、
スピーカユニットの振動系よりも小さい質量を有し、補償用変換器の機械振動の負荷となる補償用振動体とを含むことを特徴とするものである。
【手続補正１１】
【補正対象書類名】明細書
【補正対象項目名】００１８
【補正方法】変更
【補正の内容】
【００１８】
上記の構成によれば、スピーカユニットの変換器の背面側に、スピーカユニットの変換器よりも小形かつ軽量な補償用変換器が固定され、スピーカユニットの振動系よりも小さい質量を有する補償用振動体が補償用変換器の機械振動の負荷となる。スピーカユニットの変換器を駆動するときのスピーカユニットの振動系の運動量と、補償用振動体の運動量とが同等となるように、補償用変換器を電気的に駆動すれば、スピーカユニットの変換器が受ける反力と補償用変換器が受ける反力とを逆方向にして、反力同士を打消し合わせ、振動を抑制することができる。変換器の振動が抑制されるので、フレームの前面側をエンクロージャに固定していても、フレームを介してエンクロージャに伝わる振動を小さくすることができ、エンクロージャからの不要な音の放射を抑えて、過度特性が良好な音質を得ることができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００４４
【補正方法】変更
【補正の内容】
【００４４】
【発明の効果】
以上のように本発明の第１の側面によれば、変換器の背面側にスピーカユニットの質量よりも大きな質量を有する重りが固定されているので、重りが仮想的な接地となって、振動を抑制することができ、変換器での振動が抑制されるので、フレームの前面側をエンクロージャに固定していても、エンクロージャからの不要な音の放射を抑えて、過度特性が良好な音質を得ることができる。また、重りには、ボイスコイルの軸線の延長上で、該軸線に垂直な断面形状が該磁気回路の断面形状よりも小さく、中心部分に該軸線に沿って前面側に突出するボスが形成されているので、磁気回路と重りとの接合面積を小さくすることができる。重りから突出させるボスの先端でのみ磁気回路の背面側との接合を行うので、接合部分の均一性を容易に確保することができる。また、軸線付近でのみ接合を行うので、重りに強磁性体を使用しても、磁気回路が発生する磁束への影響を最小限にとどめることができる。
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】変更
【補正の内容】
【００４８】
さらに本発明の第２の側面によれば、スピーカユニットの変換器の背面側に、スピーカユニットの変換器よりも小形かつ軽量である補償用変換器が固定され、スピーカユニットの振動系よりも小さい質量を有し、補償用変換器の機械振動の負荷となる補償用振動体とを含むので、スピーカ装置の重量増加を抑えることができる。
また、たとえば、スピーカユニットの振動系の運動量と、補償用振動体の運動量とが同等となるように、補償用変換器を電気的に駆動すると、スピーカユニットの変換器が受ける反力と補償用変換器が受ける反力とを打消し合わせ、振動を抑制することができる。変換器での振動が抑制されるので、フレームの前面側をエンクロージャに固定していても、フレームを介してエンクロージャに伝わる振動を小さくすることができ、エンクロージャからの不要な音の放射を抑えて、過度特性が良好な音質を得ることができる。